(57)【要約】【課題】空気浄化装置において、部品点数の削減を図ることで組付性の向上を図ると共に小型化を図る。【解決手段】空気浄化装置１０は、光源１４の収納される空間を有したケーシング１２を備え、該ケーシング１２には、第１補助光源３６の収納される第１収納室２６と、第２補助光源６８の収納される第２収納室６２が形成され、前記第１及び第２収納室２６、６２と前記空間とが、可視光が透過可能で、且つ、紫外線を透過しない第１及び第２仕切壁２４、５０によって分離されている。そして、第１及び第２補助光源３６、６８からの発光光が第１及び第２仕切壁２４、５０を透過して光源１４に到達することで、該光源１４の始動性が向上し、しかも、紫外線が第１及び第２仕切壁２４、５０によって遮断されることで前記第１及び第２補助光源３６、６８の劣化が防止される。【選択図】図１
2015109912.tif 000002
【特許請求の範囲】
【請求項１】
光触媒を励起させる紫外線を発する光源と、前記光源の周囲に配置され通気性を有した光触媒部材と、前記光触媒部材を通過する空気流を生じさせる送風機と、前記光源、前記光触媒部材及び前記送風機を内部に収納するケーシングとを有した空気浄化装置において、
前記ケーシングの内部を複数の区画に仕切る区画壁を有し、前記区画の１つに前記光源を収納し、他の前記区画に前記光源を照射可能な補助光源を収納し、前記光源と前記補助光源との間に設けられた区画壁が、可視光を透過可能で、紫外線を透過しない特性を有することを特徴とする空気浄化装置。
【請求項２】
請求項１記載の空気浄化装置において、
前記光源と前記補助光源との間に設けられた区画壁に、前記光触媒部材の保持部を設けることを特徴とする空気浄化装置。
【請求項３】
請求項１記載の空気浄化装置において、
前記光源と前記補助光源との間に設けられた区画壁に、前記光源の端子接続部を設けることを特徴とする空気浄化装置。
【請求項４】
請求項１記載の空気浄化装置において、
前記光源と前記補助光源との間に設けられた区画壁に、前記送風機の保持部を設けることを特徴とする空気浄化装置。
【請求項５】
請求項１〜４のいずれか１項に記載の空気浄化装置において、
前記補助光源が収納される区画には、前記光源を駆動制御する制御基板が収納され、前記制御基板に対して前記補助光源が実装されることを特徴とする空気浄化装置。
【請求項６】
請求項１〜５のいずれか１項に記載の空気浄化装置において、
前記補助光源は、作動状態を表示するＬＥＤからなり、該補助光源を収納する区画に運転操作部が収納されることを特徴とする空気浄化装置。
【発明の詳細な説明】
【技術分野】
【０００１】
本発明は、室内に設置され、該室内における空気の浄化を行う空気浄化装置に関する。
【背景技術】
【０００２】
従来から、住宅の室内や車両の車室内等に設置して作動させることで、該室内における有機物の除去や脱臭を行うことが可能な空気浄化装置が知られている。このような空気浄化装置では、例えば、特許文献１に開示されるように、円筒状に形成された筐体内の中心に紫外線ランプが設けられ、該紫外線ランプの外周側を取り囲むように円筒状で通気性を有した光触媒部材が設けられると共に、前記紫外線ランプ及び前記光触媒部材の下方に送風機が設けられている。
【０００３】
そして、この空気浄化装置では、紫外線ランプから紫外線を光触媒部材に対して照射することで光触媒を活性化させ、送風機を作動させ筐体内へと取り込んだ空気を光触媒作用によって前記光触媒部材を通過させることで、空気中の臭いや有機物等を除去して浄化された空気を室内へと送出している。
【０００４】
また、上述したような紫外線ランプを利用した空気浄化装置では、人間の目に有害な紫外線が入らぬように外部と遮断した構造となっているが、このような外光の遮断された暗黒環境では紫外線ランプの始動性が低下してしまうという問題がある。
【０００５】
そこで、紫外線ランプの始動性を向上させる目的で、例えば、特許文献２に開示されるように、紫外線ランプ近傍にＬＥＤ等の補助光源を配置した空気浄化装置が知られている。
【０００６】
この空気浄化装置では、紫外線ランプの近傍に配置されたＬＥＤがカバーで覆われており、該カバーは紫外線ランプからの紫外線を透過させず、可視光のみを透過可能な材質から形成されている。そのため、カバーによってＬＥＤから発光された可視光が紫外線ランプへと到達することで暗黒環境が解消されて始動性が向上すると共に、前記紫外線ランプからの紫外線によるＬＥＤの劣化が防止される。
【先行技術文献】
【特許文献】
【０００７】
【特許文献１】特開２０００−１０７２７６号公報
【特許文献２】特開２０１１−１８７２０７号公報
【発明の概要】
【発明が解決しようとする課題】
【０００８】
しかしながら、上述した特許文献２に係る空気浄化装置では、補助光源であるＬＥＤを紫外線から守るためのカバーを設けることで部品点数が増加し、それに伴って、組付工数が増加してしまうと共に、装置の大型化を招くこととなる。
【０００９】
本発明は、前記の課題を考慮してなされたものであり、部品点数の削減を図ることで組付性の向上を図ると共に、小型化を図ることが可能な空気浄化装置を提供することを目的とする。
【課題を解決するための手段】
【００１０】
前記の目的を達成するために、本発明は、光触媒を励起させる紫外線を発する光源と、光源の周囲に配置され通気性を有した光触媒部材と、光触媒部材を通過する空気流を生じさせる送風機と、光源、光触媒部材及び送風機を内部に収納するケーシングとを有した空気浄化装置において、
ケーシングの内部を複数の区画に仕切る区画壁を有し、区画の１つに光源を収納し、他の区画に光源を照射可能な補助光源を収納し、光源と補助光源との間に設けられた区画壁が、可視光を透過可能で、紫外線を透過しない特性を有することを特徴とする。
【００１１】
本発明によれば、空気浄化装置において、ケーシングの内部を区画壁によって複数の区画に仕切り、その区画に光源を収納し、他の区画に光源を照射可能な補助光源を収納し、光源と補助光源との間に設けられた区画壁が、可視光を透過可能で、且つ、紫外線を透過しない特性を有している。
【００１２】
従って、可視光である補助光源からの発光光が区画壁を透過して光源へと照射されることで暗黒始動性を向上させることができ、しかも、光源からの紫外線が区画壁を透過して補助光源側へと到達することがないため、紫外線による補助光源の劣化を確実に防止することができる。その結果、従来技術に係る空気浄化装置で用いられていたカバーを別に設ける場合と比較し、部品点数を削減でき組付性の向上を図ることができると共に、ケーシングを含む装置の小型化を図ることができる。
【００１３】
また、光源と補助光源との間に設けられた区画壁に、光触媒部材の保持部を設けることにより、ケーシング内を仕切る区画手段と、光触媒部材の保持部とを兼ね備えることができるため、それぞれを別に設けた場合と比較し、前記ケーシングにおける構成の簡素化を図ることができ、部品点数の削減を図ることが可能となる。
【００１４】
さらに、光源と補助光源との間に設けられた区画壁に、光源の端子接続部を設けることにより、ケーシング内を仕切る区画手段と、光源の端子保持部とを兼ね備えることができるため、それぞれを別に設けた場合と比較し、前記ケーシングにおける構成の簡素化を図ることができ、部品点数の削減を図ることが可能となる。
【００１５】
さらにまた、光源と補助光源との間に設けられた区画壁に、送風機の保持部を設けることにより、ケーシング内を仕切る区画手段と、送風機の保持部とを兼ね備えることができるため、それぞれを別に設けた場合と比較し、ケーシングにおける構成の簡素化を図ることができ、部品点数の削減を図ることが可能となる。
【００１６】
またさらに、補助光源が収納される区画に、光源を駆動制御する制御基板を収納し、制御基板に対して補助光源を実装することにより、制御基板をケーシングに対して固定することで、補助光源も同時に固定することが可能となるため、補助光源のみを固定するための固定手段を別に設ける必要がなく、しかも、補助光源と制御基板との間を接続する配線等が不要となり好適である。
【００１７】
また、補助光源は、作動状態を表示するＬＥＤからなり、補助光源を収納する区画に運転操作部を収納することにより、空気浄化装置の作動状況を確認するためのＬＥＤを利用することで、別に補助光源を設ける必要がないため、ＬＥＤとは別に補助光源を設ける場合と比較し、部品点数の削減、製造コストの削減を図ることが可能となる。
【発明の効果】
【００１８】
本発明によれば、以下の効果が得られる。
【００１９】
すなわち、ケーシングの内部を区画壁によって複数の区画に仕切り、その区画に光源を収納し、他の区画に光源を照射可能な補助光源を収納し、光源と補助光源との間に設けられた区画壁が、可視光を透過可能で、且つ、紫外線を透過しない特性を有しているため、可視光である補助光源からの発光光を区画壁に透過させて光源へと照射させることで暗黒始動性を向上させることができ、しかも、光源からの紫外線が区画壁を透過して補助光源側へと到達することがないため、紫外線による補助光源の劣化を確実に防止することができる。その結果、従来技術に係る空気浄化装置で用いられていたカバーを別に設ける場合と比較し、部品点数を削減でき組付性の向上を図ることができると共に、ケーシングの小型化を図ることができる。
【図面の簡単な説明】
【００２０】
【図１】本発明の実施の形態に係る空気浄化装置の全体断面図である。
【図２】図１に示す空気浄化装置の上面図である。
【発明を実施するための形態】
【００２１】
本発明に係る空気浄化装置について好適な実施の形態を挙げ、添付の図面を参照しながら以下詳細に説明する。図１において、参照符号１０は、本発明の実施の形態に係る空気浄化装置を示す。
【００２２】
この空気浄化装置１０は、図１に示されるように、円筒状のケーシング１２と、前記ケーシング１２の内部に収納される光源１４と、該光源１４の外周側に配置される光触媒部材１６と、前記ケーシング１２の内部へ空気を取り込んで外部へと送出する送風機１８とを含む。
【００２３】
ケーシング１２は、例えば、樹脂製材料から形成され、一端部側（矢印Ａ方向）に形成される有底筒状の本体部２０と、他端部側（矢印Ｂ方向）に形成され前記本体部２０に対して拡径した拡径部２２とを有する。なお、ここでは、本体部２０を下方、拡径部２２を上方として用いる場合について説明する。
【００２４】
本体部２０は、略一定直径で軸方向（矢印Ａ、Ｂ方向）に沿って所定高さで形成され、その底部近傍には第１仕切壁（区画壁）２４で仕切られた第１収納室２６が形成されると共に、前記第１仕切壁２４に対して互いに所定間隔離間した一組の第１及び第２保持壁（区画壁）２８、３０が形成される。この第１仕切壁２４には、例えば、可視光を透過可能であり、且つ、紫外線を透過させない材質（シリコン樹脂、フッ素樹脂、ポリカーボネート樹脂等）から形成され、第１保持壁２８に臨む一端面側（矢印Ｂ方向）に光源１４の一端部を保持する第１接続部３２が形成される。
【００２５】
第１収納室２６には、光源１４を駆動制御するインバータ回路を有した第１制御基板３４が収納され、第１接続部３２に対して電気的に接続されると共に、前記第１制御基板３４には、例えば、ＬＥＤからなる第１補助光源３６が設けられている。この第１補助光源３６は、第１仕切壁２４に臨むように第１制御基板３４の上面に実装されている。
【００２６】
なお、第１制御基板３４は、光触媒部材１６の下方に設けられる場合に限定されるものではなく、該光触媒部材１６の上方に設けられるようにしてもよい。
【００２７】
第１保持壁２８は、第１仕切壁２４と略平行に設けられ、その中心に開口した第１孔部３８に光源１４が挿通されると共に、該第１孔部３８の外周側には所定半径で第１仕切壁２４側（矢印Ａ方向）に窪んだ凹部（保持部）４０が形成される。
【００２８】
また、第１保持壁２８は、第１仕切壁２４と同様に、例えば、可視光を透過可能であり、且つ、紫外線を透過させない材質（シリコン樹脂、フッ素樹脂、ポリカーボネート樹脂等）から形成されている。
【００２９】
そして、図示しない電源から第１制御基板３４へ供給された電流によって第１補助光源３６が発光し、その可視光である発光光が第１仕切壁２４及び第１保持壁２８を透過して第１収納室２６から光源１４側へと到達する（図１中、矢印Ｃ１参照）。
【００３０】
第２保持壁３０は、第１保持壁２８に対してケーシング１２の他端部側（矢印Ｂ方向）に所定間隔離間して略平行に形成され、その中心部には第２孔部４２が開口すると共に、該第２孔部４２の外周側には他端部側（矢印Ｂ方向）に向かって窪んだ凹部（保持部）４０が形成される。第２孔部４２は、第１保持壁２８の第１孔部３８より大きな直径で形成され光源１４の他端部側が挿通されると共に、本体部２０内に取り込まれた空気が拡径部２２側（矢印Ｂ方向）へと流通する際の通路としても機能する。
【００３１】
一方、本体部２０の外周面には、複数の外気導入口４４が開口し、該本体部２０の外部と内部とを連通している。この外気導入口４４は、例えば、略長方形状に形成され、本体部２０の周方向に沿って所定間隔離間して一組設けられ、該本体部２０の内部に収納された光触媒部材１６に臨むように配置される。
【００３２】
拡径部２２は、例えば、本体部２０に対して半径外方向に拡径した略一定径の周壁４６と、該周壁４６の上部を覆う天井部４８と、前記本体部２０との間に設けられた第２仕切壁（区画壁）５０とからなり、前記周壁４６の下端部が前記本体部２０に対して徐々に縮径するように接合されている。この周壁４６の下端部には、拡径部２２の中心に向かって延在する第２接続部５２が形成され、光源１４の他端部が接続され保持される。
【００３３】
第２仕切壁５０は、第１仕切壁２４、第１及び第２保持壁２８、３０と略平行に形成され、且つ、前記第２保持壁３０に対して所定間隔離間して上方に設けられる。また、第２仕切壁５０は、第１仕切壁２４と同様に、例えば、可視光を透過可能であり、且つ、紫外線を透過させない材質（シリコン樹脂、フッ素樹脂、ポリカーボネート樹脂等）から形成されている。
【００３４】
この天井部４８には、図１及び図２に示されるように、周壁４６近傍となる位置に略半円状となる吹出口５４が形成され、該吹出口５４には複数の格子５６が設けられている。すなわち、吹出口５４は複数の格子５６によって所定幅で開口したスリット状に形成される。なお、天井部４８の上面には、図２に示されるように、電源スイッチ５８や作動状態を表示するための表示灯６０が設けられている。
【００３５】
一方、図１に示されるように、天井部４８の内側には、第２仕切壁５０との間に送風機１８の収納される第２収納室６２と、該第２収納室６２に対して分離された導出室６４とがそれぞれ形成される。そして、第２収納室６２には、例えば、電源スイッチ５８や表示灯６０の駆動制御を行うための第２制御基板６６が収納され、該第２制御基板６６が天井部４８に対して固定されると共に、例えば、表示灯６０として機能する第２補助光源６８が設けられる。第２補助光源６８は、例えば、ＬＥＤからなり天井部４８に臨むように配置されると共に、第２制御基板６６に対して実装されている。
【００３６】
導出室６４は、吹出口５４に臨んで周壁４６に沿うように断面略半円状に形成され、ケーシング１２の軸線と略平行に形成された隔壁７０によって第２収納室６２と分離されると共に、吹出口５４と連通している。
【００３７】
この隔壁７０は、第２収納室６２に臨むように形成され、送風機１８の送風口８０が前記隔壁７０を貫通するように接続される。これにより、送風機１８が第２収納室６２内で吸い込んだ空気が送風口８０を通じて導出室６４へと導出されることとなる。
【００３８】
光源１４は、例えば、ガラス管７２内にガスの封入された冷陰極蛍光ランプが用いられ、ケーシング１２の本体部２０に軸方向（矢印Ａ、Ｂ方向）に沿って、且つ、軸線上に配置される。そして、光源１４の一端部が、第１接続部３２に接続され保持されると共に、他端部が第２接続部５２に対して接続され保持される。
【００３９】
そして、この光源１４は、ガラス管７２の内部に設けられた電極（図示せず）に通電することで、その内部で電子同士が衝突して紫外線を発する。なお、電極は、ガラス管７２の両端部が接続された第１及び第２接続部３２、５２を通じて通電される。
【００４０】
また、この光源１４としては、冷陰極蛍光ランプに限定されるものではなく、例えば、紫外線ＬＥＤ等の紫外線を発光可能なものであればよい。
【００４１】
光触媒部材１６は、例えば、光源１４の外周側を取り囲むように設けられ、複数の孔を有した多孔質体からなり、その外周側と内周側との間で空気が通過可能に形成される。この光触媒部材１６は、その一端部及び他端部の中心が開口した円筒状に形成され、一端部が第１保持壁２８の凹部４０にスペーサ７４を介して保持され、他端部が第２保持壁３０の凹部４０にスペーサ７４を介して保持されることで、ケーシング１２の内部に収納保持される。また、光触媒部材１６は、その中心が本体部２０の軸線上となるように配置され、光源１４と同軸上に配置される。
【００４２】
そして、光源１４から照射された紫外線が光触媒部材１６へと当たることで、光触媒が活性化して付近の空気中に含まれる有機物や臭いが分解される。
【００４３】
送風機１８は、図１に示されるように、例えば、シロッコファン等の遠心送風機からなり、ケーシング１２に固定されるハウジング７６と、該ハウジング７６の内部に回転自在に設けられ複数の羽根を有したファン７８と、前記ファン７８を回転駆動させる駆動源（図示せず）とを含み、前記ハウジング７６がケーシング１２の第２収納室６２に収納された状態で第２仕切壁５０に対して固定されることで、前記ケーシング１２における空気の流れ方向において、光触媒部材１６の下流側に配置される。
【００４４】
このハウジング７６は、例えば、駆動源及びファン７８を囲繞するように円筒状に形成され、その内部に形成された流路の断面積が中心から外周端に向かって徐々に大きくなるように形成される。そして、ケーシング１２の本体部２０側（矢印Ａ方向）となる下面及び天井部４８側となる上面には、空気を内部へと吸入するための吸入口（図示せず）が形成され、一方、外周端には略長方形状に開口した送風口８０が形成される。
【００４５】
一方、送風口８０は隔壁７０を貫通するように接続され、ファン７８の駆動作用下に送風機１８が吸入口を通じて吸い込んだ第２収納室６２内の空気が送風口８０を通じて導出室６４へと導出される。
【００４６】
なお、この送風機１８は、光触媒部材１６の下流側に配置される場合に限定されるものではなく、例えば、前記光触媒部材１６の上流側に配置されるようにしてもよい。
【００４７】
本発明の実施の形態に係る空気浄化装置１０は、基本的には以上のように構成されるものであり、次にその動作並びに作用効果について説明する。なお、ここでは、この空気浄化装置１０が車両の車室内に設置される場合について説明する。
【００４８】
先ず、乗員が空気浄化装置１０の電源スイッチ５８を操作して電源を入れることで、送風機１８のファン７８が回転し始め、同時に、第１制御基板３４から光源１４へ通電されると共に第１及び第２制御基板３４、６６から第１及び第２補助光源３６、６８へ通電される。
【００４９】
この際、第１及び第２補助光源３６、６８はＬＥＤからなるため、通電によって即座に点灯し、前記第１補助光源３６からの発光光が第１仕切壁２４、第１保持壁２８を透過して光源１４へと到達し（図１中、矢印Ｃ１参照）、一方、前記第２補助光源６８からの発光光が第２仕切壁５０、第２保持壁３０を透過して光源１４へと到達する（図１中、矢印Ｃ２参照）。
【００５０】
これにより、光源１４の暗黒環境が解消され、光源１４の暗黒始動性（始動遅れ）を低減させ始動性を向上させることができる。この暗黒始動性とは、光源１４に対して電流を印加してから実際に放電を開始するまでのタイムラグである。
【００５１】
また、第２補助光源６８は、空気浄化装置１０の作動状態を表示する表示灯６０であるため、天井部４８から該表示灯６０を視認することで作動状態であることが確認される。
【００５２】
そして、第１及び第２補助光源３６、６８からの発光光の照射により光源１４の放電開始が促進され、該光源１４から光触媒部材１６に向かって紫外線を照射し始める。これにより、光触媒部材１６に対して内周側から紫外線が照射され光触媒が活性化し始める。
【００５３】
送風機１８の駆動作用下に車室内の空気が外気導入口４４を通じて本体部２０の内部へと吸い込まれ、この空気が光触媒部材１６に開口した複数の孔を通じて内周側へと通過し、該孔と接触することによって前記空気に含まれる臭いや有機物が好適に光触媒作用によって分解され除去される。
【００５４】
この浄化された空気は、光触媒部材１６の中央から上昇して送風機１８側（矢印Ｂ方向）へと吸い上げられ、第２保持壁３０の第２孔部４２を通じて第２収納室６２へと流れた後、前記送風機１８の吸入口からハウジング７６の内部へと吸い込まれる。
【００５５】
このハウジング７６内へと吸い込まれた空気は、ファン７８の回転作用下に送風口８０からケーシング１２の導出室６４へと略水平方向に向かって送出されることで、導出室６４の周壁４６へ衝突し、該導出室６４内で様々な方向へと分流して拡散した後に吹出口５４から車室内へと吹き出される。
【００５６】
また、第１仕切壁２４、第１保持壁２８、第２仕切壁５０を、可視光が透過可能で、且つ、紫外線が透過できない材質から形成することで、可視光である第１及び第２補助光源３６、６８からの発光光を確実に光源１４へと到達させつつ、前記光源１４からの紫外線が外部へと漏れることが確実に阻止される。そのため、紫外線による第１及び第２補助光源３６、６８の劣化が防止される。
【００５７】
なお、上述したように第１及び第２補助光源３６、６８を共に使用して光源１４の始動性を高める場合に限定されるものではなく、例えば、前記第１補助光源３６を設けずに、表示灯６０としても機能する前記第２補助光源６８の光量が補助光源として十分であれば、該第２補助光源６８のみから発光光が照射されるようにしてもよいし、反対に、前記第１補助光源３６のみから発光光が照射されるようにしてもよい。
【００５８】
また、第２補助光源６８からの発光光のみを光源１４へと照射する場合には、第２保持壁３０、第２仕切壁５０のみを可視光を透過可能、且つ、紫外線が透過できない材質で形成すればよく、一方、第１補助光源３６からの発光光のみを光源１４へと照射する場合には、第１仕切壁２４、第１保持壁２８のみを可視光を透過可能、且つ、紫外線が透過できない材質で形成すればよい。
【００５９】
すなわち、ケーシング１２において、内部を分離する第１及び第２保持壁２８、３０、第１及び第２仕切壁２４、５０の全てを、可視光を透過可能、且つ、紫外線を透過できない材質で形成する必要はなく、光源１４に対して補助光源からの発光光を透過させるべき区画壁のみを、可視光を透過可能、且つ、紫外線を透過できない材質で形成すればよい。
【００６０】
さらに、上述した空気浄化装置１０では、光源１４と第１補助光源３６との間、該光源１４と第２補助光源６８との間に、それぞれ区画壁として機能する第１及び第２仕切壁２４、５０、第１及び第２保持壁２８、３０が２枚ずつ設けられているが、この構成に限定されるものではなく、少なくとも前記光源１４と第１補助光源３６との間、該光源１４と第２補助光源６８との間に、それぞれ１枚ずつの区画壁が設けられ、該区画壁が可視光を透過可能、且つ、紫外線を透過できない材質で形成されていればよい。
【００６１】
なお、上述した空気浄化装置１０は、上述したように車両の車室内に設置して使用される場合に限定されるものではなく、例えば、住宅の室内等に設置して使用するようにしてもよい。
【００６２】
以上のように、本実施の形態では、空気浄化装置１０を構成するケーシング１２において、光源１４の収納される空間とは分離された第１収納室２６に第１補助光源３６を設けると共に、前記空間と分離された第２収納室６２に第２補助光源６８を設け、前記第１及び第２収納室２６、６２と前記空間とを、可視光が透過可能であり、且つ、紫外線の透過できない材質からなる第１及び第２仕切壁２４、５０でそれぞれ分割している。
【００６３】
従って、第１及び第２補助光源３６、６８からの発光光は可視光であるため、第１及び第２仕切壁２４、５０を透過して光源１４へと到達し、暗黒始動性を向上させることができ、しかも、前記光源１４からの紫外線は前記第１及び第２仕切壁２４、５０によって遮断されて第１及び第２補助光源３６、６８側へと到達することがないため、該紫外線による前記第１及び第２補助光源３６、６８の劣化を確実に防止することができる。
【００６４】
そのため、従来技術に係る空気浄化装置で用いられていた紫外線保護用のカバーを別に設ける必要がなく、ケーシング１２内を複数の区画に分割する第１及び第２仕切壁２４、５０を設けることで、紫外線による第１及び第２補助光源３６、６８の劣化を防止しつつ、該紫外線の外部への漏れを防止しながら、光源１４の始動性を向上させることが可能となる。
【００６５】
その結果、空気浄化装置１０において、紫外線保護用のカバーを設ける場合と比較し、部品点数を削減できるため組付性の向上を図ることができると共に、ケーシング１２を含む空気浄化装置１０の小型化を図ることができる。
【００６６】
また、第１及び第２補助光源３６、６８と光源１４との間に、光触媒部材１６の端部を保持可能な第１及び第２保持壁２８、３０を設けることにより、ケーシング１２内を仕切る区画手段と、前記光触媒部材１６の保持手段とを兼ね備えることができるため、それぞれを別に設けた場合と比較し、前記ケーシング１２における構成の簡素化を図ることができ、空気浄化装置１０における部品点数の削減を図ることが可能となる。
【００６７】
さらに、第１補助光源３６と光源１４との間に配置された第１仕切壁２４に、光源１４の端部を保持可能な第１接続部３２を設けることにより、ケーシング１２内を仕切る区画手段と、前記光源１４の保持手段とを兼ね備えることができるため、それぞれを別に設けた場合と比較し、前記ケーシング１２における構成の簡素化を図ることができ、空気浄化装置１０における部品点数の削減を図ることが可能となる。
【００６８】
さらにまた、第２補助光源６８と光源１４との間に配置された第２仕切壁５０に、送風機１８を保持することで、ケーシング１２内を仕切る区画手段と、前記送風機１８の保持手段とを兼ね備えることができるため、それぞれを別に設けた場合と比較し、前記ケーシング１２における構成の簡素化を図ることができ、空気浄化装置１０における部品点数の削減を図ることが可能となる。
【００６９】
またさらに、第１及び第２補助光源３６、６８は、第１及び第２制御基板３４、６６の収納される第１及び第２収納室２６、６２に収納し、それぞれ第１及び第２制御基板３４、６６に対して実装することにより、前記第１及び第２制御基板３４、６６をケーシング１２に対して固定することで、前記第１及び第２補助光源３６、６８も同時に固定することが可能となるため、補助光源のみを固定するための固定手段を別に設ける必要がない。また、第１及び第２補助光源３６、６８と第１及び第２制御基板３４、６６との間を接続する配線等が不要となり好適である。
【００７０】
また、光源１４を照射するための補助光源として、空気浄化装置１０の作動状況を確認するための第２補助光源６８を利用し、該補助光源として十分な効果が得られる場合には、第１補助光源３６を設ける必要がないため、部品点数の削減、製造コストの削減を図ることが可能となる。また、第１及び第２補助光源３６、６８を共に備える場合でも、補助光源としてのみ用いられる第１補助光源３６を必要最小限の性能のものとすることができる。
【００７１】
なお、本発明に係る空気浄化装置は、上述の実施の形態に限らず、本発明の要旨を逸脱することなく、種々の構成を採り得ることはもちろんである。
【符号の説明】
【００７２】
１０…空気浄化装置                  １２…ケーシング
１４…光源                          １６…光触媒部材
１８…送風機                        ２０…本体部
２２…拡径部                        ２４…第１仕切壁
２６…第１収納室                    ２８…第１保持壁
３０…第２保持壁                    ３２…第１接続部
３４…第１制御基板                  ３６…第１補助光源
５０…第２仕切壁                    ５２…第２接続部
６２…第２収納室                    ６４…導出室
６６…第２制御基板                  ６８…第２補助光源
【図１】
2015109912.tif 000003
【図２】
2015109912.tif 000004